(57)【要約】【課題】試験のための労力を要することなく容易にドアホンの警報表示灯と住宅情報盤との間の配線を確認できるドアホンの遠隔試験装置を提供する。【解決手段】住棟受信機１に、試験スイッチが操作されたときに試験開始信号を各住宅情報盤に送出する試験開始部と、試験応答部からの応答信号に基づいて住宅情報盤と警報表示灯との間の配線が異常かどうかを判別する配線状態判別部と、異常と判断されたとき応答信号に添付された情報から発信元を特定して表示部に表示する異常特定部とを備え、住宅情報盤１１に、試験開始信号を受けたとき警報表示灯に点灯信号を送出する点灯信号送出部と、警報表示灯に送出された点灯信号に基づいて住宅情報盤１１と警報表示灯との間の配線状態が識別できる信号を生成する識別信号生成部と、その識別信号に発信元が判別できる情報を添付し、試験開始信号に対する応答信号として送出する試験応答部とを備えた。【選択図】　　　　図１
2004118683.tif 000002
【特許請求の範囲】
【請求項１】
各住戸にそれぞれ設置され、玄関に設けられたドアホンを子機として有する住宅情報盤と、住宅情報盤を通じて異常を検知したときに居住者に警報を発する機能を有する住棟受信機とでなるドアホンの遠隔試験装置であって、
住棟受信機に設けられ、所定の試験スイッチが操作されたときに試験開始信号を各住宅情報盤に送出する試験開始手段と、
住宅情報盤に設けられ、前記試験開始信号を受けたときドアホンに装着された警報表示灯に点灯信号を送出する点灯信号送出手段と、
住宅情報盤に設けられ、警報表示灯に送出されたとき点灯信号に基づいて住宅情報盤と警報表示灯との間の配線状態が識別できる信号を生成する識別信号生成手段と、
住宅情報盤に設けられ、前記識別信号生成手段により生成された識別信号に発信元が判別できる情報を添付し、前記試験開始信号に対する応答信号として送出する試験応答手段と、
住棟受信機に設けられ、前記試験応答手段からの応答信号に基づいて住宅情報盤とドアホンの警報表示灯との間の配線が異常かどうかを判別する配線状態判別手段と、
住棟受信機に設けられ、前記配線状態判別手段により異常と判断されたとき応答信号に添付された情報から発信元を特定して表示部に表示する異常特定手段とからなることを特徴とするドアホンの遠隔試験装置。
【請求項２】
前記試験開始手段は、キー操作により住宅情報盤を特定する情報が入力されたとき表示部に表示し、その後に試験スイッチが操作されたときは試験開始信号にその情報を添付して送出し、該当する住宅情報盤に入力させることを特徴とする請求項１記載のドアホンの遠隔試験装置。
【発明の詳細な説明】
【０００１】
【発明の属する技術分野】
本発明は、各住戸の玄関に設置されたドアホンの警報表示灯と住戸内の住宅情報盤との間の配線の断線及び短絡の有無を遠隔地から試験するドアホンの遠隔試験装置に関するものである。
【０００２】
【従来の技術】
従来、ドアホンの警報表示灯と住戸内の住宅情報盤との間の配線の断線及び短絡の有無の確認は、警報表示灯が作動するかどうかを目視で行っていた（例えば、特許文献１参照）。
【０００３】
【特許文献１】
特開平９−２２３２８９号公報（第１０−１１頁、図１）
【０００４】
【発明が解決しようとする課題】
しかしながら、前述した従来の試験方法では、ドアホンが設置されている場所まで行かなければならず、総戸数の多い共同住宅では、多大な労力と時間を要し、試験のための人件費の面でもコスト高になっていた。
【０００５】
本発明は、かかる課題を解決するためになされたもので、試験のための労力と時間を要することなく容易にドアホンと住宅情報盤との間の配線の断線及び短絡を確認できるドアホンの遠隔試験装置を提供することを目的とする。
【０００６】
【課題を解決するための手段】
本発明に係るドアホンの遠隔試験装置は、各住戸にそれぞれ設置され、玄関に設けられたドアホンを子機として有する住宅情報盤と、住宅情報盤を通じて異常を検知したときに居住者に警報を発する機能を有する住棟受信機とでなるドアホンの遠隔試験装置であって、住棟受信機に設けられ、所定の試験スイッチが操作されたときに試験開始信号を各住宅情報盤に送出する試験開始手段と、住宅情報盤に設けられ、試験開始信号を受けたときドアホンに装着された警報表示灯に点灯信号を送出する点灯信号送出手段と、住宅情報盤に設けられ、警報表示灯に送出された点灯信号に基づいて住宅情報盤と警報表示灯との間の配線状態が識別できる信号を生成する識別信号生成手段と、住宅情報盤に設けられ、識別信号生成手段により生成された識別信号に発信元が判別できる情報を添付し、試験開始信号に対する応答信号として送出する試験応答手段と、住棟受信機に設けられ、試験応答手段からの応答信号に基づいて住宅情報盤とドアホンの警報表示灯との間の配線が異常かどうかを判別する配線状態判別手段と、住棟受信機に設けられ、配線状態判別手段により異常と判断されたとき応答信号に添付された情報から発信元を特定して表示部に表示する異常特定手段とからなる。
【０００７】
また、本発明に係るドアホンの遠隔試験装置は、請求項１において、試験開始手段は、キー操作により住宅情報盤を特定する情報が入力されたとき表示部に表示し、その後に試験スイッチが操作されたときは試験開始信号にその情報を添付して送出し、該当する住宅情報盤に入力させるようにしたものである。
【０００８】
【発明の実施の形態】
図１は本発明の実施の形態に係るドアホンの遠隔試験装置を説明するための概略システム図、図２は住棟受信機に設けられたドアホンの遠隔試験装置の一部を示す概略ブロック構成図、図３は住宅情報盤に設けられたドアホンの遠隔試験装置の一部を示す概略回路図である。
本実施の形態に係るドアホンの遠隔試験装置は、住棟受信機１に設けられた試験スイッチ２、試験開始部３、配線状態判別部４及び異常特定部５と、住宅情報盤１１に設けられた点灯信号送出部１２、識別信号生成部１３及び試験応答部１４とからなっている（図２及び図３参照）。
【０００９】
前述の住棟受信機１は、図１に示すように共同住宅の管理室等に設置され、住宅情報盤１１は、同図に示すように各住戸内にそれぞれ設置されており、住棟受信機１と各住宅情報盤１１とはデータ伝送路２１を介して接続されている。また、各住戸の住宅情報盤１１には、それぞれの住戸外、例えば各住戸の玄関に設けられた子機としてのドアホン１８が配線Ｌを介して接続されている。
【００１０】
まず、ドアホンの遠隔試験装置を構成する住棟受信機１について説明する。前記の試験スイッチ２は、住棟受信機１の本体内に設けられた例えばタクトスイッチからなり、試験開始部３、配線状態判別部４及び異常特定部５は、住棟受信機１の主制御部であるマイコン６が備えている。例えば、試験スイッチ２がオンされると、試験開始部３が試験開始信号をデータ伝送路２１を介して各住戸内の住宅情報盤１１に送出し、試験開始信号に対する住宅情報盤１１からの応答信号が入力されると、配線状態判別部４がその応答信号から住宅情報盤１１とドアホン１８の警報表示灯１７との間の配線Ｌが異常（断線、短絡）かどうかを判別する。後述するが、応答信号を構成する識別信号がＬｏｗ　レベルのときは前記の配線Ｌが正常であると判断し、応答信号を構成する識別信号がＨｉｇｈレベルのときは前記の配線Ｌが断線或いは短絡と判断して、異常特定部５がその応答信号に添付されている発信元の情報、例えば住宅情報盤１１のアドレスを液晶ディスプレイからなる表示部７に表示する。
【００１１】
なお、試験開始信号は、例えば「住棟受信機１のアドレス（送信元のアドレス）・試験命令コマンド」で構成され、応答信号は、例えば「住宅情報盤１１のアドレス（送信元のアドレス）・試験命令コマンド・識別信号」で構成される。
【００１２】
次に、ドアホンの遠隔試験装置を構成する住宅情報盤１１について説明する。前述した点灯信号送出部１２及び試験応答部１４は、住宅情報盤１１の主制御部であるマイコン１５が備えている。この点灯信号送出部１２及び試験応答部１４は、それぞれデータ伝送路２１に接続されており、また、点灯信号送出部１２は、トランジスタ１６のベースに接続されている。トランジスタ１６のエミッタ側には定電圧電源（１２Ｖ）が接続されており、トランジスタ１６のコレクタ側には逆流防止用のダイオードが接続されて、配線Ｌを介してドアホン１８の警報表示灯１７と接続されている。また、配線Ｌには、住宅情報盤１１に設けられた識別信号生成部１３が接続されており、この識別信号生成部１３は試験応答部１４と接続されている。
【００１３】
前述した識別信号生成部１３は、図３に示すような回路構成となっており、以下、具体的に説明する。
マイナス入力側が配線Ｌのトランジスタ１６のコレクタ側と接続され、プラス入力側が基準電圧（１２Ｖ）と接続された第１の比較器１３ａと、プラス入力側が配線Ｌのトランジスタ１６のコレクタ側と接続され、マイナス入力側が基準電圧（１２Ｖ）と接続された第２の比較器１３ｂと、ベース側が第１の比較器１３ａ及び第２の比較器１３ｂの出力側と接続され、エミッタ側が一定電圧（５Ｖ）と接続され、コレクタ側が試験応答部１４と接続されたトランジスタ１３ｃとを備えている。そして、この識別信号生成部１３は、例えば、点灯信号送出部１２による点灯信号がドアホン１８の警報表示灯１７に送出されているとき、第１及び第２の比較器１３ａ，１３ｂがその点灯信号を検出して基準電圧と比較し、比較結果に応じて信号を出力する。第１及び第２の比較器１３ａ，１３ｂの何れか一方の出力信号がＬｏｗ　レベルになったとき、トランジスタ１３ｃが導通してＨｉｇｈレベルの識別信号をマイコン１５の試験応答部１４に送出し、また、第１及び第２の比較器１３ａ，１３ｂの出力信号が共にＨｉｇｈレベルのときは、トランジスタ１３ｃが導通せずにＬｏｗ　レベルの識別信号をマイコン１５の試験応答部１４に送出する。
【００１４】
第１及び第２の比較器１３ａ，１３ｂは、警報表示灯１７が正常に点灯しているとき出力信号が共にＨｉｇｈレベルとなり、警報表示灯１７との配線Ｌが断線しているときは、第１の比較器１３ａの出力信号がＬｏｗ　レベル、第２の比較器１３ｂの出力信号がＨｉｇｈレベルとなり、また、警報表示灯１７との配線Ｌが短絡しているときは、第１の比較器１３ａの出力信号がＨｉｇｈレベル、第２の比較器１３ｂの出力信号がＬｏｗ　レベルになるよう設定されている。
【００１５】
住宅情報盤１１のマイコン１５は、住棟受信機１からの試験開始信号がデータ伝送路２１を介して入力されると、点灯信号送出部１２がトランジスタ１６のベース側を通常時のＨｉｇｈレベルからＬｏｗ　レベルにしてトランジスタ１６をオンし、トランジスタ１６のエミッタ・ベース間が導通したことによる点灯信号をドアホン１８の警報表示灯１７に送出し、識別信号生成部１３からの識別信号が入力されたときは、試験応答部１４がその識別信号に発信元が判別できる情報、例えば住宅情報盤１１に設定されているアドレスを添付して、試験開始信号に対する応答信号として住棟受信機１に送出する。
【００１６】
なお、前記の住宅情報盤１１は、図１に示すように火災感知器１１ａや、図示していないがガス漏れ検知器、防犯センサ、非常用押しボタン等が接続されており、これら機器の作動に応じてその住宅情報盤１１やドアホン１８から警報を発するようになっている。そして、住棟受信機１は、警報を発した住宅情報盤１１を通じて異常を検知したときに、集会室等の共用部に設置されたスピーカ（図示せず）から警報を発したり、警報を発した住宅情報盤１１と同じ階や直上階の住宅情報盤１１等の任意の住宅情報盤１１から警報を発したりして、居住者に警報を発するようになっている。
【００１７】
次に、本実施の形態の遠隔試験装置の動作を説明する。
住棟受信機１に設けられた試験スイッチ２をオンすると、その住棟受信機１のマイコン６の試験開始部３が試験開始信号をデータ伝送路２１を介して各住戸の住宅情報盤１１に送出し、住宅情報盤１１のマイコン１５の点灯信号送出部１２は、トランジスタ１６のベース側をＬｏｗ　レベルにしてトランジスタ１６をオンし、点灯信号をドアホン１８の警報表示灯１７に送出する。この時、識別信号生成部１３の第１及び第２の比較器１３ａ，１３ｂは、その点灯信号を取り込んで、それぞれ基準電圧と比較する。
【００１８】
ドアホン１６の警報表示灯１７が正常に点灯しているときは、第１及び第２の比較器１３ａ，１３ｂの出力信号が共にＨｉｇｈレベルとなるので、トランジスタ１３ｃがオフとなって、Ｌｏｗ　レベルの識別信号をマイコン１５の試験応答部１４に送出する。このマイコン１５の試験応答部１４は、Ｌｏｗ　レベルの識別信号が入力されたとき予め設定された自己の住宅情報盤１１のアドレスを添付し、応答信号としてデータ伝送路２１を介して住棟受信機１に送出する。
【００１９】
また、警報表示灯１７との配線Ｌが断線しているときは、第１の比較器１３ａの出力信号がＬｏｗ　レベル、第２の比較器１３ｂの出力信号がＨｉｇｈレベルとなるので、トランジスタ１３ｃがオンして、Ｈｉｇｈレベルの識別信号をマイコン１５の試験応答部１４に送出し、警報表示灯１７との配線Ｌが短絡しているときは、第１の比較器１３ａの出力信号がＨｉｇｈレベル、第２の比較器１３ｂの出力信号がＬｏｗ　レベルとなるので、前記と同様にトランジスタ１３ｃがオンして、Ｈｉｇｈレベルの識別信号をマイコン１５の試験応答部１４に送出する。この場合は、マイコン１５の試験応答部１４は、Ｈｉｇｈレベルの識別信号に前記のアドレスを添付して応答信号とし、データ伝送路２１を介して住棟受信機１に送出する。
【００２０】
一方、試験開始信号を送出した住棟受信機１のマイコン６は、住宅情報盤１１からの応答信号が入力されると、その応答信号から住宅情報盤１１とドアホン１８の警報表示灯１７との間の配線Ｌが異常（断線、短絡）かどうかを判別する。応答信号を構成する識別信号がＬｏｗ　レベルのときは前記の配線Ｌが正常であると判断し、応答信号を構成する識別信号がＨｉｇｈレベルのときは前記の配線Ｌが断線或いは短絡と判断して、その応答信号に添付されている発信元のアドレスを表示部７上に表示して、配線Ｌに異常のある場所を試験要員に知らせる。
【００２１】
このように本実施の形態においては、住宅情報盤１１とドアホン１８の警報表示灯１７との間の配線Ｌが異常（断線、短絡）かどうかを管理室に設けられた住棟受信機１から確認できるようにしたので、従来例のようにドアホンの設置場所まで行く必要がなくなり、このため、配線確認のための労力と時間を大幅に短縮することが可能になり、しかも人件費を削減できるという効果がある。
【００２２】
なお、前記の実施の形態では、ドアホン１８の警報表示灯１７との間の配線確認を行うとき、全住戸の住宅情報盤１１に試験開始信号を送出するようにしたが、住宅情報盤１１を指定してドアホン１８の警報表示灯１７との間の配線Ｌを確認するようにしてもよい。この場合は、住棟受信機１の表示部７上に図示しないテンキー等によるキー入力で住宅情報盤１１のアドレスを表示した後に試験スイッチ２をオンして、そのアドレスを添付した試験開始信号をマイコン６から送出させ、該当する住宅情報盤１１に入力させる。そして、アドレス指定された住宅情報盤１１は、試験開始信号に添付されたアドレスが自己のアドレスであると判断すると、前記の実施の形態と同様の動作を行う。この場合における試験開始信号は、例えば「住棟受信機１のアドレス（送信元のアドレス）・試験命令コマンド・住宅情報盤１１のアドレス（受信先のアドレス）」で構成され、応答信号は、例えば「住宅情報盤１１のアドレス（送信元のアドレス）・試験命令コマンド・識別信号」で構成される。
このように住宅情報盤１１を特定する場合、例えば異常のあったドアホン１８との間の配線Ｌをやり直した後、再びその配線Ｌの確認を容易に行える。また、空き住戸に入居者が住むようになった場合に、その住戸の住宅情報盤１１を特定してドアホン１６との間の配線Ｌの試験を行うことができる。
【００２３】
また、前記の実施の形態では、住宅情報盤１１は、ドアホン１８の遠隔試験を行うと直ちに応答信号を住棟受信機１へ送出するようにしたが、住棟受信機１から例えば試験結果要求信号を受けたときに応答信号を住棟受信機１へ送出するようにしてもよい。これにより、各住宅情報盤１１からの応答信号がデータ伝送路２１で衝突して、住棟受信機１が正確な応答信号を受信できないということがなくなる。この場合における試験結果要求信号は、例えば「住棟受信機１のアドレス（送信元のアドレス）・試験結果要求コマンド・住宅情報盤１１のアドレス（受信先のアドレス）」で構成され、応答信号は、例えば「住宅情報盤１１のアドレス（送信元のアドレス）・試験結果要求コマンド・識別信号」で構成される。
【００２４】
さらに、前記の実施の形態では、配線Ｌの断線と短絡をトランジスタ１３ｃのオンで同じ信号としたので、トランジスタをそれぞれ設け、配線Ｌの断線と短絡を別信号として試験応答部１４に入力するようにして、それぞれ別信号として住棟受信機１に送出し、住棟受信機１では配線Ｌの断線と短絡を分けて表示するようにしてもよい。
【００２５】
【発明の効果】
以上のように本発明によれば、住宅情報盤とドアホンの警報表示灯との間の配線を遠隔地に設定された住棟受信機から確認できるようにしたので、従来例のようにドアホンの設置場所まで行く必要がなくなり、このため、配線確認のための労力と時間を大幅に短縮することが可能になり、しかも人件費を削減できるという効果がある。
【００２６】
また、本発明によれば、試験開始信号を送出する前に住宅情報盤を特定する情報がキー操作によって入力されたときその住宅情報盤に試験開始信号が入力されるようにしたので、異常のあったドアホンとの間の配線をやり直した後、再びその配線の確認を容易に行え、また、空き住戸に入居者が住むようになった場合に、その住戸の住宅情報盤を特定してドアホンとの間の配線の試験を行うことができる。
【図面の簡単な説明】
【図１】本発明の実施の形態に係るドアホンの遠隔試験装置を説明するための概略システム図である。
【図２】住棟受信機に設けられたドアホンの遠隔試験装置の一部を示す概略ブロック構成図である。
【図３】住宅情報盤に設けられたドアホンの遠隔試験装置の一部を示す概略回路図である。
【符号の説明】
１　住棟受信機、２　試験スイッチ、６　住棟受信機のマイコン、７　表示部、１１　住宅情報盤、１３　識別信号生成部、１３ａ　第１の比較器、１３ｂ　第２の比較器、１３ｃ　トランジスタ、１５　住宅情報盤のマイコン、１６　トランジスタ、１７　警報表示灯、１８　ドアホン、２１　データ伝送路。
【図１】
2004118683.tif 000003
【図２】
2004118683.tif 000004
【図３】
2004118683.tif 000005